Podtech/llm-jp-corpus-v4-ja_patent huggingface dataset:
(57)【要約】      （修正有）【課題】感温磁性材料の熱磁気特性を利用した玩具を提供する。【解決手段】磁石２を支持体１０に固定し、感温磁性材料のリング１を回転軸４で支持して磁場中を通し、磁場近傍位置でローソク３を燃焼して感温磁性材料のリング１を加熱し、磁化を弱めて回転力を生じさせる。【選択図】図１
2015136611.tif 000002
【特許請求の範囲】
【請求項１】
磁石を支持体に固定し、感温磁性材料のリングを回転軸で支持して磁場中を通し、磁場近傍位置でローソクを燃焼して感温磁性材料のリングを加熱し、磁化を弱めて回転力を生じさせることを特徴としたローソクの燃焼熱を利用した回転玩具。
【発明の詳細な説明】
【技術分野】
【０００１】  本発明は、感温磁性材料の熱磁気特性を応用した、ローソクの燃焼熱を利用した回転玩具に関するものである。
【背景技術】
【０００２】  従来、感温磁性材料の熱磁気特性を応用した熱磁気モーターや熱磁気エンジンが発明されているが、現在生産されている素材の磁気特性が理想的なものでないため、優れた発明でありながらも実用化されていない。
【先行技術文献】
【特許文献】
【０００３】
【特許文献１】特開平６−１４１５７２（磁性体エンジン）
【特許文献２】特開平９−２６８９６８（熱磁気エンジン）
【発明の概要】
【発明が解決しようとする課題】
【０００４】  本発明は、現在生産されている素材を用いても実用的なトルクが得られ、災害時や玩具や土産品として利用可能な製品作りを進め、感温磁性材料の開発と普及を進める目的からなされたものである。
【課題を解決するための手段】
【０００５】  磁石を支持体に固定し、感温磁性材料のリングを回転軸で支持して磁場中を通し、磁場近傍位置でローソクを燃焼して感温磁性材料のリングを加熱し、磁化を弱めて回転力を生じさせることを特徴としたローソクの燃焼熱を利用した回転玩具。
【発明の効果】
【０００６】  現在生産されている感温磁性材料は、理想的な磁気特性ではないため、高温で加熱しないと実用的なトルクが得られないが、ローソクの燃焼熱は比較的高温で現状の素材を用いても実用的なトルクを得ることができる。【０００７】  結婚式で行われるキャンドルサービスがロマンチックなものである様に、本発明はロマンチックなローソクを燃焼させてロマンチックな玩具や土産品を作ることができるものである。
【図面の簡単な説明】
【０００８】
【図１】本発明実施例のローソクの燃焼熱を利用した回転玩具の正面配置図である。
【図２】本発明の他の実施例のローソクの燃焼熱を利用した回転玩具の側面図である。
【図３】本発明の他の実施例のローソクの燃焼熱を利用した回転玩具の正面図である。
【図４】本発明の他の実施例のローソクの燃焼熱を利用した回転玩具の正面図である。
【発明を実施するための形態】
【０００９】  磁石を固定局とし、感温磁性材料のリングを移動局として回転軸で支持し、磁場の近傍位置でローソクを燃焼させる。
【実施例１】
【００１０】  図１は感温磁性材料のリング１を垂直に立て、リングの輪の中でローソク３を燃焼させ、加熱後の感温磁性材料のリング１を液体８で冷却した実施例であるが、感温磁性材料のリング１の径が大きい場合や感温磁性材料の磁気特性によっては自然冷却でも十分である。【００１１】  本実施例は玩具以外に、ロマンチックな照明器具とすることもでき、ローソク３と感温磁性材料のリング１を複数とすると、携帯電話の充電が可能な発電機を回転できる熱機関を作ることも可能である。【００１２】  本実施例は、磁性材料の磁気特性を応用した熱機関やキュリー温度の説明等の教材としても有益なものである。
【実施例２】
【００１３】  図２は感温磁性材料のリング１に、連結棒１３を用いて造形物１２を取り付けた実施例である。【００１４】  感温磁性材料のリング１は、ローソク炎の加熱と油煙で煤けてしまうので、本実施は造形物１２をローソク炎から離したものである。
【実施例３】
【００１５】  図３は童話を題材にした玩具で、造形物１２をカボチャの馬車として車輪１４を回転させたものである。
【実施例４】
【００１６】  図４は感温磁性材料のリング１を水平にし、ローソク３を複数個用いた実施例である。【００１７】  感温磁性材料のリング１は、題材によって垂直、水平、斜めのいずれの配置もできる。【００１８】  火屋１６を設けてローソクの燃焼炎を安定させ、加熱位置を安定に保つこともできる。【００１９】  感温磁性材料のリング１は、図１、図２、図３の様に、リングの円周の外側あるいは内側を回転軸４で支持することもできるし、図４の様にリングの中心部で支持することもできる。【００２０】  実施においてはローソク３以外に様々な固形燃料を使用することもできるし、液体燃料やガス等の燃焼熱を利用することもできる。
【産業上の利用可能性】
【００２１】  玩具や照明器具として利用できる以外に、理科の教材としても有益なものである。
【符号の説明】
【００２２】  １…感温磁性材料のリング
２…磁石
３…ローソク
４…回転軸
５…燭台
６…断熱板
７…容器
８…液体
９…回転方向
１０…支持体
１１…磁石固定板
１２…造形物
１３…連結棒
１４…車輪
１５…軸受
１６…火屋
【図１】
2015136611.tif 000003
【図２】
2015136611.tif 000004
【図３】
2015136611.tif 000005
【図４】
2015136611.tif 000006
(57)【要約】【課題】  本発明は、弾力と厚みのある靴の中敷の前部と後部に穴を刳り貫いた穴つき中敷を提供する。【解決手段】  靴の、弾力性と厚みのある中敷（１）に、前部と後部に刳り貫いた穴を設け、前部穴（２）の刳り貫いた部位（４）と、後部穴（３）の刳り貫いた部位（５）を設け、指の付け根部（６）と踵部（７）を設けた、穴つき中敷を特徴とする。【選択図】図１
2015136612.tif 000002
【特許請求の範囲】
【請求項１】
弾力性と厚みのある中敷（１）に、前部穴（２）と、後部穴（３）を、刳り貫いたことを特徴とする穴つき中敷。
【請求項２】
中敷（１）の前部穴（２）に、刳り貫いた前部部位（４）を埋めた、請求項１の穴つき中敷。
【請求項３】
中敷（１）の後部穴（３）に刳り貫いた後部部位（５）を埋めた、請求項１の穴つき中敷。
【発明の詳細な説明】
【技術分野】
【０００１】  この発明は、弾力性と厚みのある靴の中敷きに、前部と後部に穴を刳り貫いた穴つき中敷きに関するものである。
【背景技術】
【０００２】  従来、靴の中敷に前部と後部に穴を刳り貫いた靴の中敷きはなかった。
【先行技術文献】
【特許文献】
【０００３】
【特許文献１】
【発明の概要】
【発明が解決しようとする課題】
【０００４】  これは、次のような欠点があった。
従来、靴の中敷きは、表面が平らであるとか、足の裏に添うような形状のものがあるが、歩行の時、楽に歩けるが、ただ漠然と歩いているので、足腰の筋力強化にならない。
本発明は、以上のような欠点をなくすためになされたものである。
【課題を解決するための手段】
【０００５】  弾力性と厚みのある中敷き（１）に、前部と後部に刳り貫いた穴を設け、前部穴（２）の刳り貫いた前部部位（４）と、後部穴（３）の刳り貫いた後部部位（５）を設け、指の付け根部（６）と、踵部（７）を設ける。
【発明の効果】
【０００６】  弾力性と厚みのある中敷（１）に、前部と後部に刳り貫いた穴を設けることで、着地の時、踵部（７）と、指の付け根部（６）が沈むので、着地の衝撃を緩衝させ、足腰の負担を軽減させる。【０００７】  着地から一歩を踏み出す時、指の付け根部（６）が、爪先より沈んでいるので、爪先で強く後ろに蹴らないと腰が引けて歩幅が狭くなる、意識的に強く蹴ることによって、腰が前に出て、脚力が付き、足腰が丈夫になり姿勢がよくなり歩幅も伸びる。【０００８】  着地から一歩踏み出す時、指の付け根部（６）が爪先より沈んでいるので、たえず緩やかな上り坂を歩いている感覚があるので、陸上競技の長距離の練習で、トラックや一般道路での練習方法の一環として脚力をつけるのに最適である。
【図面の簡単な説明】
【０００９】
【図１】  本発明の右足の靴の中敷きの分解斜視図である。
【図２】  本発明の断面図である。
【発明の実施するための形態】
【００１０】  以下、本発明を実施するための形態について説明する。
弾力性と厚みのある中敷き（１）の前部と後部に穴を刳り貫き、前部穴（２）と後部穴（３）を設ける。刳り貫いた前部部位（４）と刳り貫いた後部部位（５）を設け、指の付け根部（６）と踵部（７）を設ける。
本発明は、以上のような構造である。
これを使用するときは、歩行の時、着地した時点で踵部（７）と指の付け根部（６）が、弾力性と厚みのある中敷（１）の後部穴（３）と前部穴（２）に沈み、爪先部が高くなっているので、一歩を踏み出す時平坦な道でも緩やかな登り坂を歩行している感覚である。
【００１１】  刳り貫いた前部部位（４）を前部穴（２）に埋めて歩行したり、刳り貫いた後部部位（５）を後部穴（３）に埋めて歩行でき、前部部位（４）と後部部位（５）を埋めたり、外したり、自由に選択して歩行ができる。
【符号の説明】
【００１２】１  中敷
２  前部穴
３  後部穴
４  前部部位
５  後部部位
６  指の付け根部
７  踵部
【図１】
2015136612.tif 000003
【図２】
2015136612.tif 000004
(57)【要約】      （修正有）【課題】携帯電話のホルダに後ろから指を入れる落下防止機構はこれまでになかった。携帯電話を打つ時に、片手で打つので落下しやすかった。片手で持って、文字等を打つことができて、それと同時に携帯電話の落下防止ができる機構が必要だった。【解決手段】携帯電話のホルダに後ろから指を入れる落下防止機構で課題を解決する。ホルダの裏面に空所を設け、そこに、指を入れる落下防止機構を設ける。【選択図】図１
2015136614.tif 000002
【特許請求の範囲】
【請求項１】
携帯電話のホルダに後ろから指を入れる形式の落下防止機構。
【発明の詳細な説明】
【技術分野】
【０００１】  本発明は、携帯電話の落下防止機構に関する。
【背景技術】
【０００２】  従来は、携帯電話のホルダに後ろから指を入れる落下防止機構はなかった。
【先行技術文献】
【発明の概要】
【発明が解決しようとする課題】
【０００３】  携帯電話のホルダに後ろから指を入れる落下防止機構で課題を解決する。携帯電話のホルダに後ろから指を入れる落下防止機構で課題を解決する。ホルダが携帯電話の裏面に空所を設ける。携帯電話のホルダに後ろから指を入れる落下防止機構はこれまでになかった。携帯電話を打つ時に、片手で打つので落下しやすかった。片手で持って、文字等を打つことができて、それと同時に携帯電話の落下防止ができる機構が必要だった。【０００４】
【発明の効果】
【０００５】  携帯電話が落下しない。
【図面の簡単な説明】
【図１】実施例を示す。
【発明を実施するための形態】
【０００６】図１に示す通りの形態です。
【図１】
2015136614.tif 000003
(57)【要約】【課題】一つの飲用コップ又はグラスで複数人が飲む時、他の人の飲み口の場所を特定する事が出来なかった。上記に対応するため、他の人の飲み口が識別出来るコップ又はグラスを提供する。【解決手段】飲用コップ又はグラスで複数人が飲用する時に、飲み口の部分に色又は形状で違いを出す。【選択図】図１
2015136608.tif 000002
【特許請求の範囲】
【請求項１】
飲用のコップ又はグラスの飲み口に複数の違いを出した部分を設けて、一つの飲用コップ又はグラスで複数人が飲む時に、他の人の飲み口の場所を特定出来る事を特徴とする飲み口識別コップ又はグラス。
【発明の詳細な説明】
【技術分野】
【０００１】  本発明は、飲用のコップ又はグラスの飲み口に複数の違いを出した部分を設けて、一つの飲用コップ又はグラスで複数人が飲む時に、他の人の飲み口の場所を特定出来るようにした飲用のコップ又はグラスに関するものである。
【背景技術】
【０００２】従来、一つのコップ又はグラスで複数人が飲用する時に、他の人の飲み口を識別する事が出来なく、必ずしも消費者のニーズを満足させられていなかった。
【発明の開示】
【発明が解決しようとする課題】
【０００３】そのために、次のような問題点があった。
（イ）他の人の飲み口の部分が分からず戸惑ってしまった。
（ロ）他の人と同じ飲み口の部分から飲んで気まずい思いをした。
本発明は、これらの問題点を解決するためになされたものである。
【問題を解決するための手段】
【０００４】飲用のコップ又はグラスの飲み口に、複数の違いを設けて、一つの飲用コップ又はグラスで複数人が飲む時に、各自の飲み口の場所を特定出来る事を特徴とする飲み口識別コップ又はグラス。
【発明の効果】
【０００５】一つの飲用コップ又はグラスで複数人が飲用及び飲酒をした時に、各自の飲み口の場所を容易に特定する事が出来る。
【発明を実施するための最良の形態】
【０００６】本発明は、飲用のコップ又はグラスの飲み口に、複数の違いを設け、一つの飲用コップで複数人が飲用する時に、他の人の飲み口を確認出来、このみの飲み口から飲用する事が出来る。それを図面について説明すれば、１飲み口部、２識別部に、色、形状で違いを出す。
【図面の簡単な説明】
【０００７】
【図１】本発明の側面図
【図２】本発明の平面図
【符号の説明】
【０００８】１  飲み口部
２  識別部
３  底辺部
【図１】
2015136608.tif 000003
【図２】
2015136608.tif 000004
(57)【要約】【課題】台とその上に載せる駒のみで、特別な用具はなくても平面上は勿論斜め上下行を楽しめるドミノ倒し用具を提供する。【解決手段】駒の一端を斜面とし、台の下面に駒の斜面を合わせて台を斜めに設置し駒を垂直に立たせるようにしたドミノ倒し用具。【選択図】図５
2015136607.tif 000002
【特許請求の範囲】
【請求項１】
長方形の長手方向の一端を斜面にした駒と、該駒を載せる長方形の台とから成るドミノ倒し用具。
【請求項２】
台の特定の位置に、台上面と平行な下面に駒の斜面を密着させ駒を垂直に立たせて台を斜めに設置できるように構成した請求項１記載のドミノ倒し用具。
【発明の詳細な説明】
【技術分野】
【０００１】  本発明は、ドミノの台とその上に並べられるドミノの駒から成るドミノ倒し用具に関するものである。
【背景技術】
【０００２】  従来より、ドミノ倒しは、基本的に駒を平面上にほぼ等間隔に並べて行うゲームであり、平坦な面が必要になる。また駒を上下行させるには階段状のステップをもった台に駒を並べることになる。
【先行技術文献】
【特許文献】
【０００３】
【特許文献１】特開平１１−２０７０２５号公報
【特許文献２】特開２００４−１３６０５１号公報
【発明の概要】
【発明が解決しようとする課題】
【０００４】  上記特許文献に見られるように、台の上に駒を並べるもので平坦な場所にこだわらずゲームをすることはできるが、駒を斜め上下行することには全く考慮されていない。本発明はこの欠点を解決し、平坦な場所は勿論、斜め上下行も可能なドミノ倒し用具を提供するものである。
【課題を解決するための手段】
【０００５】  下面に溝を持ち、上面には駒を並べる位置決めにする小穴のマークをもった長方形の台と、長方形長手方向の一端が斜めにカットされた斜面をもつ駒とから成るドミノ倒し用具である。
【発明の効果】
【０００６】  平面に駒を並べる場合は、台の上面の小穴のマークの位置に駒の斜面端を上にして並べる。【０００７】  駒を斜めに上下行させる場合は、台の溝に駒の斜面端を合わせて該駒を垂直に立たせて台を斜めに構成する。この傾斜台に駒を並べるには、台の小穴マーク位置に駒の斜面端を下にして、垂直に立てることができる。【０００８】  台と一種類の駒のみで、絨毯の上や砂地の野外でも平面の並びは勿論、傾斜の上下行の並びをすることができる。
【図面の簡単な説明】
【０００９】
【図１】図１は台１の外観図である。
【図２】図２は駒４の外観図である。
【図３】図３は台１を傾斜させた一部の拡大側面図である。
【図４】図４は連結図その１である。
【図５】図５は連結図その２である。
【発明を実施するための形態】
【００１０】  本発明の実施の形態を、図面を参照して詳述する。図１は台１の外観図である。上面には長方形の長手方向に，駒４を並べる位置を示す等間隔の小穴２を設ける。下面には長手方向一端の近くに長手方に直角で上面に平行な通しの溝３を設ける。
【００１１】  図２は駒４の外観図である。長方形で長手方向の一端は斜めにカットされて斜面５になっている。その側面図は図３に示す。
【００１２】  図３は台１を斜めに設置した一部分の拡大側面図である。全体の設置図は図５の傾斜上下行並べ７に示す。台１の溝３に駒４の斜面５を合わせると駒４は垂直になるように斜面５の傾斜角と溝３の位置関係を決める。このようにして台１は安定して斜めに設置される。この台の上面に並べる駒４は斜面５を下にして垂直に立てることができる。
【００１３】  図４は連結図その１で、平面図を示す。台１の並べ方は、厳密さは必要なく、曲りや二股分岐することができる。
【００１４】  図５は連結図その２で側面図を示す。平面並べ６、傾斜上下行並べ７、そして傾斜上下行の両端に台を載せた橋架け並べ８ができる。
【符号の説明】
【００１５】１    台
２    小穴
３    溝
４    駒
５    斜面
６    平面並べ
７    傾斜上下行並べ
８    橋架け並べ
【図１】
2015136607.tif 000003
【図２】
2015136607.tif 000004
【図３】
2015136607.tif 000005
【図４】
2015136607.tif 000006
【図５】
2015136607.tif 000007
(57)【要約】【課題】旅客の側窓からの眺望性が最良で、かつ椅子席の安楽性が相互干渉により妨げられず、さらに自由空間が配慮され個別性が確保された列車の椅子席室を提供すること。【解決手段】室の中心線CLに沿って央部が前後方向に延びる縦通路2と、これに直交する複数の横枝通路５とで複数の二人並び横向き椅子席６が形成された列車の椅子席室１において、一側７に二人並び横向き椅子席６の２列を外向きに、他側８に二人並び横向き椅子席６の１列を同じく外向きに配置している。【選択図】図１
2015136941.tif 000002
【特許請求の範囲】
【請求項１】
室の中心線に沿って央部が前後方向に延びる縦通路と上記縦通路に直交する複数の横枝通路とで複数の二人並び横向き椅子席が形成された列車の椅子席室において、一側に二人並び横向き椅子席2列を外向きに他側に二人並び横向き椅子席1列を同じく外向きに具えたことを特徴とする列車の椅子席室。
【発明の詳細な説明】
【技術分野】
【０００１】
本発明は列車の椅子席室に関する眺望性,採光性,安楽性及び自由空間の向上策である。
【背景技術】
【０００２】
例えば、高速に伴う軽量化を目指す新幹線電車新８００系普通車椅子席室及び側窓事情として、図2模式的三面図に示すようなものが知られている。（例えば、非特許文献１）。
ここで、同図(a)は部分平面図,同図（b)は全体側面図,同図(c)は部分平面図(a)のc-c横断面図,同図（d)は全体側面図(b)のd−dにおける端面図である。
【０００３】
【非特許文献１】JR九州：新800系（３次車）,鉄道図書刊行会,鉄道ピクトリアル２００８年１０月号,P９８〜１０１
【発明の開示】
【発明が解決しようとする課題】
【０００４】
しかしながら、このような構造では下記のような欠点がある。
(1) ０１は縦向き二人並び椅子席なので、旅客の視線０２,旅客の視線０３はそれぞれ側窓０４と直交し難く、したがって採光性は満足するものの眺望性は不十分である。
ちなみに、０５は約6０oの頂角を持った水平円錐状と云われている旅客の静止視野である。
【０００５】
(2)  また、０１が縦向き二人並び椅子席なので、通路０６に接した通路側旅客０７は側窓側旅客０８離着席動作の影響を著しく受ける。
すなわち、通路側旅客０７はリクライニング背凭れを利用する自在な姿勢が中断され、したがって、安楽性が妨げられる。
【０００６】
(3)  さらに、縦向き二人並び椅子席０１の奥側の席は間柱０９により片側が塞がれているので、側窓側旅客０８片側には通路を活用した自由空間に欠けている。
【０００７】
本発明はこのような事情に鑑みて提案されたもので、旅客の眺望性,採光性,安楽性が妨げられず、さらに自由空間が確保された列車の椅子席室を提供することを目的とする。
【課題を解決するための手段】
【０００８】
そのために、本発明は室の中心線に沿って央部が前後方向に延びる縦通路と上記縦通路に直交する複数の横枝通路とで複数の二人並び横向き椅子席が形成された列車の椅子席室において、一側に二人並び横向き椅子席2列を外向きに他側に二人並び横向き椅子席1列を同じく外向きに具えたことを特徴とする。
【発明の効果】
【０００９】
このような構造によれば、本発明は室の中心線に沿って央部が前後方向に延びる縦通路と、上記縦通路に直交する複数の横枝通路とで複数の二人並び横向き椅子席が形成された列車の椅子席室において、一側に二人並び横向き椅子席2列を外向きに他側に二人並び横向き椅子席1列を同じく外向きに配置したことにより下記の効果が奏せられる。
【００１０】
先ず、複数の側窓に対し複数の二人並び横向き椅子席が配置されており全旅客の視線が側窓に対し直交状になり易くなっている。したがって、眺望性が著しく向上する。
【００１１】
次に、縦通路,複数の横枝通路及び複数の二人並び横向き椅子席の作用により全旅客の離着席は自在となっている。  したがって、リクライニング背凭れ利用時でも安楽性が確保される。
【００１２】
さらに、複数の横枝通路の作用により旅客の片側には必ず自由空間が設けられており、したがって、個別性が確保される。
【発明を実施するための最良の形態】
【００１３】
本発明を図2に示す列車、例えば新幹線電車８００系普通車椅子席室の外郭に適用した一実施例を図1に基づき記述する
ここで、同図（a)は平面図、同図（b）は同図(a)のb-bにおける縦断面図、同図(c)は同図(a)のc-cにおける横断面図である。
【００１４】
そして、同図において、1は室の中心線に沿って央部が前後方向に延びる縦通路2と、上記縦通路2に直交する複数の横枝通路5とで複数の二人並び横向き椅子席6が形成された列車の椅子席室において、一側7に二人並び横向き椅子席6の2列を外向きに、他側8に二人並び横向き椅子席6の1列を同じく外向きに配置している。
【００１５】
なお、二人並び横向き椅子席6はリクライニング席である。また、9は側壁上部に付設された手荷物用棚である。
【００１６】
このような構造において、先ず、複数の側窓3に対し複数の二人並び横向き椅子席6が配置されており全ての旅客10の視線11が側窓3に対し直交状になり易くなっている。したがって、旅客10の眺望性が著しく向上する。
【００１７】
次に、縦通路2,複数の横枝通路5及び複数の二人並び横向き椅子席6の作用により全ての旅客10の離着席は自在となっており、したがって、リクライニング背凭れ利用時でも旅客10の安楽性が確保される。
【００１８】
さらに、複数の横枝通路5の作用により旅客10の片側には必ず自由空間が設けられ
ており、したがって、旅客10の個別性が確保される。
【産業上の利用可能性】
【００１９】
本発明によれば、二人並び横向き椅子席6が左向きと右向き夫々用意されているとともに、さらに縦通路2が椅子席室1の央部に設けられ各二人並び横向き椅子席6から側窓3までの距離が最短なので旅客10の眺望性は最高で乗物の環境向上に資することが著しいと考えます。
したがって、先ず優等車での成果確認を提案します。
【図面の簡単な説明】
【００２０】
【図１】本発明の実施形態を示す列車における椅子席室模式的三面図
【図２】公知の新幹線(登録商標)電車新800系普通車における椅子席室模式的三面図
【符号の説明】
【００２１】
１    椅子席室
２    縦通路
３    側窓
４    間柱
５    横枝通路
６    二人並び横向き椅子席
７    一側
８    他側  
９    手荷物用棚
１０    旅客
１１    視線
CL     椅子席室の中心線
【図１】
2015136941.tif 000003
【図２】
2015136941.tif 000004
(57)【要約】【課題】水素をも高い精度で測定することができるガス感応半導体検出素子を用いた可燃性ガス検出装置を提供すること。【解決手段】ジュール熱を発生する加熱手段１と、加熱手段１と電気伝導関係、及び熱伝導関係を維持するように形成されたガス感応半導体の燒結体２とからなるガス感応半導体検出素子３に、分流用抵抗４を並列に接続し、これら半導体ガス検出素子３と分流用抵抗４とに定電流電源５から駆動電力を供給して加熱手段１の負荷電圧から濃度を検出する。【選択図】図１
2015215242.tif 000002
【特許請求の範囲】
【請求項１】
ジュール熱を発生する加熱手段と、該加熱手段と電気伝導関係、及び熱伝導関係を維持するように形成されたガス感応半導体の燒結体とからなるガス感応半導体素子に、分流用抵抗を並列に接続し、これらガス感応半導体素子と分流用抵抗とに定電流電源から駆動電力を供給して前記加熱手段の負荷電圧から濃度を検出する可燃性ガス検出装置。
【請求項２】
前記分流用抵抗の抵抗値が前記焼結体のガス検出待機状態での電気抵抗値に実質的に一致する請求項１に記載の可燃性ガス検出装置。
【発明の詳細な説明】
【技術分野】
【０００１】
本発明は、ガス感応半導体検出素子を用いて可燃性ガスを測定する装置に関し、より詳細にはガスの種類による誤差を軽減する技術に関する。
【背景技術】
【０００２】
特許文献１に見られるようにガス感応半導体検出素子は、ＳｎＯ2 やＺｎＯなどの金属酸化物を主成分とするガス感応半導体の燒結体で、単一の金属抵抗線のコイルを包み込んでビード状にし、コイルを加熱用ヒータと燒結体の電気抵抗値検出電極として用いたものである。
このガス感応半導体検出素子により水素を検出すると、図２（ｂ）に示したようにメタンに比較して所定濃度以上では上昇率が大きくなり直線性が悪くなるという問題がある。
【先行技術文献】
【特許文献】
【０００３】
【特許文献１】特開平５−８００１２号公報
【発明の概要】
【発明が解決しようとする課題】
【０００４】
本発明はこのような問題に鑑みてなされたものであって、その目的とするところは、水素をも高い精度で測定することができるガス感応半導体検出素子を用いた可燃性ガス検出装置を提供することである。
【課題を解決するための手段】
【０００５】
このような課題を解決するために本発明においては、ジュール熱を発生する加熱手段と、該加熱手段と電気伝導関係、及び熱伝導関係を維持するように形成されたガス感応半導体の燒結体とからなるガス感応半導体検出素子に、分流用抵抗を並列に接続し、これら半導体ガス検出素子と分流用抵抗とに定電流電源から駆動電力を供給して前記加熱手段の負荷電圧から濃度を検出するようにした。
【発明の効果】
【０００６】
ガス感応半導体の燒結体に水素が接触して電気抵抗が低下する。このため電気抵抗体に流れていた分の電流が素子の加熱手段に多く按分されて加熱電力が増大し、その結果として半導体の焼結体の温度がほぼ一定に維持され、半導体ガス検出素子の負荷電圧の低下が抑えられる。つまり、見かけ上の感度変化が抑制される。
【図面の簡単な説明】
【０００７】
【図１】本発明の一実施例を示す構成図。
【図２】図（ａ）はガス感応半導体検出素子を使用した本発明の測定装置の検出出力を、また図（ｂ）はガス感応半導体検出素子を使用した従来の測定装置の検出出力を示す線図。
【発明を実施するための形態】
【０００８】
そこで以下に本発明の詳細を図示した実施例に基づいて以下に説明する。
図１は、ガス感応半導体検出素子を用いた可燃性ガス検出装置の一実施例を示すものであって、ジュール熱を発生する加熱手段１と、この加熱手段１と電気伝導関係、及び熱伝導関係を維持するように形成されたＳｎＯ2 やＺｎＯなどの金属酸化物を主成分とするガス感応半導体の燒結体２とからなるガス感応半導体検出素子３に、これの作動温度状態での加熱手段１の端子１ａ、１ｂに分流用抵抗４を接続し、これらガス感応半導体検出素子３と分流用抵抗４とに定電流電源５から駆動電力を供給して検出回路６により加熱手段１の負荷電圧を検出して可燃性ガスの濃度を検出するように構成されている。
【０００９】
この実施例において、こ定電流電源５からの電流Ｉがほぼ等分に按分されてガス感応半導体検出素子３に供給されてガス検出待機状態、つまり加熱手段１に定格電流が供給されてガス検出可能温度に昇温されている状態で可燃性ガスたとえばメタンが燒結体２に接触すると、可燃性ガスの濃度に応じて燒結体２の電気伝導度が上昇し、焼結体２と実質的に並列接続された加熱手段１への電流が低下する。
【００１０】
一方、上記ガス検出待機状態でガス感応半導体検出素子３に水素が接触すると、その濃度が特定の領域、例えば８０ｐｐｍ以上になるとそれ以下（８０ｐｐｍ以下）の濃度の場合よりも電気伝導度の上昇率が大きくなり、分流用抵抗４に流れていた電流の一部がガス感応半導体検出素子３に流れ込み加熱手段１の温度が上昇し、端子１ａ，１ｂ間の抵抗値が増大する。これにより図２（ａ）に示したように水素による端子間の抵抗の急激な低下を緩和して８０ｐｐｍ以下の場合の出力の直線性を維持した出力を得ることができる。
【符号の説明】
【００１１】
１  加熱手段１    ２  ガス感応半導体の燒結体    ３  ガス感応半導体検出素子    ４  分流用抵抗
【図１】
2015215242.tif 000003
【図２】
2015215242.tif 000004
(57)【要約】【課題】  外径マイクロメーターの調整は、職人の技術で目盛りを合せていた。この為、熟練度の低い場合や基準棒が長くなると接触部位が外れ、傾きが発生して、調整に手間取っていた。【解決手段】  異径リングを作り、外径マイクロメーターと基準寸法棒の接触部位２箇所にこれを嵌めて直角方向の動きを制限し計測、調整する。【選択図】図１
2015215324.tif 000002
【特許請求の範囲】
【請求項１】
外径マイクロメーター（９）の０点確認、調整用に使用する、ガイドリング（１）
【請求項２】
内径が７．６〜８ｍｍ（２）と６．６〜７ｍｍ（３）の異径リングを作り、外径マイクロメーター（９）と基準寸法棒（６）の接触部位２箇所にガイドリング（１）を嵌めて直角方向の動きを制限し計測、調整するガイドリング（１）
【発明の詳細な説明】
【技術分野】
【０００１】  外径マイクロメーター（９）の構造は、２５ｍｍの範囲を０．０１ｍｍの精度で計測する部位と、２５ｍｍ間隔で枠を広げて計測範囲を広げる部分で、構成されている。この基準寸法棒２５．００を外径マイクロメーターで測定し０点を確認又は調整使用する。同様に５０．００  ７５．００  １００．００・・・・
【背景技術】
【０００２】  従来は、このような補助器具はなく、職人の技術で０点を確認、調整していた。この為、熟練度の低い場合や、基準寸法棒（６）が長くなると、接触部位（４）（５）が外れる、基準寸法棒に傾きが発生する等で、調整に手間取っていた。
【発明が解決しようとする課題】
【０００３】  熟練度が低くても熟練者と同等以上に、調整できること
【課題を解決するための手段】
【０００４】  基準寸法棒（６）と外径マイクロメーター（９）をガイドリング（１）を使用して仮固定する。基準寸法棒をほぼ水平にすると、基準寸法棒が長くなっても接触部位が外れることなく、傾きが発生しなくなり、調整が容易になる。
【発明の効果】
【０００５】  片手に余裕が出来て基準寸法棒（６）を微調整出来るため、調整が簡単に出来る。
【図面の簡単な説明】
【０００７】
【図１】  ガイドリング（１）を作り、外径マイクロメーター（９）の測定部（４）に基準寸法棒（６）の軸端（５）をガイドリング（１）で仮固定する。基準寸法棒（６）を微調整しながら、ラチェット（８）を回し目盛り部（７）で０点を確認、調整する。
【符号の説明】
【０００８】１  ガイドリング
２  ガイドリング内径  ７．６〜８ｍｍ
３  ガイドリング内径  ６．６〜７ｍｍ
４  外径マイクロメーター軸端部  外径  ６．５ｍｍ
５  基準寸法棒軸端部  外径  ７．５ｍｍ
６  基準寸法棒
７  目盛り部
８  ラチェット
９  外径マイクロメーター
【発明を実施するための形態】
【０００９】  内径が７．６〜８ｍｍ（２）と６．６〜７ｍｍ（３）の異径リングを作り、外径マイクロメーター（９）と基準寸法棒（６）の接触部位２箇所にガイドリング（１）を嵌めて直角方向の動きを制限し計測、調整する。
【産業上の利用可能性】
【００１０】  外径マイクロメーター（９）の調整に使用する。
【図１】
2015215324.tif 000003
(57)【要約】 【課題】基板ステージを複雑にする事なく、基板保持機構間の温度分布を低減する事によって、マスクパターンを均一に基板上に転写できる露光装置を提供する。【解決手段】被露光基板1を保持する基板保持機構3と基板保持機構3を高さ方向に駆動する駆動機構6の間に構成される熱伝導シート7が駆動機構6や、基板ステージ2に構成される電気部品から発生した熱が不均一に基板保持機構3に伝わる事を防止し、被露光基板1の温度分布を低減する事によって、被露光基板1の局所的な熱膨張を抑制し、被露光基板1に転写されるマスクパターンの歪みを低減する。【選択図】  図１
2015087515.tif 000002
【特許請求の範囲】
【請求項１】
被露光基板を保持し、前記被露光基板の平面方向に複数配置され、高さ方向に駆動する事によって前記被露光基板の露光面の凹凸を調整する事が可能な基板保持機構と、各基板保持機構の少なくとも二つ以上を熱的に接続し、基板保持機構の周囲の気体より高い熱伝導率を有する前記熱的な接続を熱伝導シートで構成することを特徴とする露光装置。
【請求項２】
前記熱伝導シートを前記基板保持機構と前記基板保持機構を高さ方向に駆動する駆動機構の間に構成することを特徴とする請求項１に記載の露光装置。
【発明の詳細な説明】
【技術分野】
【０００１】
本発明は、露光装置に関する。特に、液晶露光装置において被露光基板の温度分布を低減する手段に関するものでる。
【背景技術】
【０００２】
近年、液晶露光装置では高解像度が求められており、それに伴い焦点深度が減少している。
【０００３】
この焦点深度を満たすため、被露光基板の厚みムラおよび平面度補正の為、被露光基板を保持する基板保持機構を複数の領域に分割し、その高さを制御する事によって被露光面の平面度を制御する技術が開示されている(特許文献1、特許文献2)。
【０００４】
ただし、これらの技術では、基板保持機構の高さを制御する駆動機構によって熱が発生し、それによって被露光基板が熱膨張するため、冷却機構が必要となる。
【０００５】
特許文献2では、基板保持機構内に温度制御用の流体を流す流路を設け、被露光基板の温度制御を行っている。
【先行技術文献】
【特許文献】
【０００６】
【特許文献１】特開2004-158847号公報
【特許文献２】特開2007-331041号公報
【発明の概要】
【発明が解決しようとする課題】
【０００７】
特許文献2の方法で基板保持機構の温度制御を行う場合、被露光基板の露光領域を変更するための基板ステージと基板ステージに流体を供給または、回収する為に流路が必要となり、基板ステージの駆動を阻害する恐れがある。
【０００８】
また、特許文献1のように各基板保持機構が分割されている形状では各基板保持機構を繋ぐ流路を設ける事は困難である。
【０００９】
本発明の目的は、基板ステージを複雑にする事なく被露光基板の温度分布を低減し、局所的な熱膨張を抑制する事によって、被露光基板上に形成されるマスクパターンの歪み量が低減された露光装置を提供することである。
【課題を解決するための手段】
【００１０】
上記の課題を解決する為、基板保持機構と基板保持機構を高さ方向に駆動させる駆動機構の間に基板ステージ周囲の気体より高い熱伝導率を持つ熱伝導シートを備える。
【００１１】
前記熱伝導シートは、駆動機構や基板ステージ周囲に配置される電気部品などから基板ステージを介して伝わった熱を被露光基板の平面方向に拡散させ、被露光基板に伝わる熱を平均化する。
【発明の効果】
【００１２】
本発明によれば、被露光基板内の温度分布を低減する事によって、局所的な熱膨張を抑制する事ができる。
【００１３】
一般的に液晶露光装置では、マスクパターンを被露光基板に投影する際、被露光基板の膨張量に伴い、倍率を補正する機構が備わっている。この為、被露光基板上で膨張量が一定であれば補正する事ができる。
【００１４】
本発明のように被露光基板上の膨張量を一定にする事によって露光領域全域にわたって、被露光基板上に投影されたマスクパターンの歪み量を低減する事ができる。
【００１５】
また、本発明では、基板ステージに追加される機構は熱伝導シートのみである為、基板ステージの駆動への影響は小さくなる。
【図面の簡単な説明】
【００１６】
【図１】本発明を実施した基板ステージの断面図
【図２】図1に示した駆動機構6の概略図
【発明を実施するための形態】
【００１７】
［実施例１］
以下、図面に基づいて本発明の実施形態を説明する。
【００１８】
図１は、本実施例での基板ステージの断面図を示す。図１において、平板状基板1をX,Y方向に移動させる基板駆動ステージ2上に被露光基板1を吸着保持する複数の基板保持機構3を有する。
【００１９】
基板保持機構3は、被露光基板1を吸着保持する為の吸着穴4を持ち、配管5によって真空ポンプから負圧を供給している。また、駆動機構6によってそれぞれ独立して高さ方向に位置調整される事が可能である。
【００２０】
駆動機構6と基板保持機構3の間には、駆動機構6および、その下部で発生した熱を平面方向に拡散し、基板ステージ2上に配置される各基板保持機構3間の温度分布を低減させる為に熱伝導シート7が構成されている。
【００２１】
熱伝導シート7は、基板保持機構3と密着しており、基板ステージ2の周辺雰囲気の気体より高い熱伝導率を持つ事を特徴とし、グラファイトシートのように厚さ方向より平面方向の熱伝導率が高い異方性材料である事が好ましい。
【００２２】
図2は、駆動機構の一例を示す。図2において、被駆動部8は、駆動ベース9とリニアガイド10を介して接続されており、高さ方向以外の方向への変位を拘束されている。
【００２３】
回転モーター11は、カップリング12を介してボールねじ13に回転方向への力を伝達し、ボールねじ13および、縦横変換機構14によって、被駆動部に高さ方向への変位量を与える。
【００２４】
この時、エンコーダー15によって被駆動部8に取り付けられたエンコーダースケール16を観測する事によって、被駆動部8の変位量を測定する。
【００２５】
このように本実施例では、基板ステージ上の各駆動機構で発生した熱は、熱伝導シート7によって平均化され、被露光基板1の温度分布を低減する。
【符号の説明】
【００２６】
1 被露光基板
2 基板ステージ
3 基板保持機構
4 吸着穴
5 配管
6 駆動機構
7 熱拡散シート
8 被駆動部
9 駆動ベース
10 リニアガイド
11 回転モーター
12 カップリング
13ボールねじ
14 縦横変換機構
15 エンコーダー
16 エンコーダースケール
【図１】
2015087515.tif 000003
【図２】
2015087515.tif 000004
(57)【要約】      （修正有）【課題】ファイバー先端部を簡単に固定することで、今までにない精細な表示を行うことができるようにする。【解決手段】ファイバーの光りが見られる穴を設け、その穴に傾斜のついた中心部を設け、挿入したファイバーをその傾斜により固定する。ファイバー先端部の固定法の一つは、傾斜のついた中空穴にファイバを挿入するものである。ファイバー先端取り付けの１例は、ファイバー挿入用のシリンダーを用いる。シリンダーの中の穴は中空となり、片方の端に向かい傾斜が儲けられている。その細い側はファイバー径より小さく、太い側はファイバー径より大きくなっている。挿入するとファイバー径より小さくなる点でファイバーは固定される。このシリンダーを穴の開いたパネルに挿入し固定するファイバーを挿入し後端部をまとめて光源に導き固定する。傾斜のついた中空穴を用いることで、いろいろな形態の対象物へのファイバー先端固定を実現できる。【選択図】図３
2015087448.tif 000002
【特許請求の範囲】
【請求項１】
光ファイバーを用いた表示装置において、その有効性を広げるため、従来行えていなかった先端部を簡単に固定する方法。それを用いて種々の形態に適応できるようにする方法。
【請求項２】
その実現のため、傾斜のついた中空穴で固定ファイバー先端部を固定しシリンダー形状として各種対象物へ設置できるようにした方法。
【請求項３】
その実現のため、傾斜のついた中空穴の開いたモジュールにファイバー先端を固定する方法。
【請求項４】
先端固定用シリンダーを用いることで、既製品等への穴あけ加工で簡単にファイバーを固定できるようにした方法。
【請求項５】
ファイバー先端部を固定することにより、表示する方法全般。
【発明の詳細な説明】
【技術分野】
【０００１】
本発明は、光りファイバーを用いた表示装置に関するものである。
【背景技術】
【０００２】
ファイバー表示装置は、ファイバー先端部から光りを発するタイプとファイバー全体が発光するタイプがあるが、本発明は先端部から発光するタイプについてのものである。このタイプはファイバーを光源近傍でまとめ、自然な状態で拡がるファイバーの先端部の表示を見るものであった。
【先行技術文献】
【特許文献】
【０００３】
【特許文献１】特許公開平６−１１０３９２、 特許公開平７−９０８１８
【発明の概要】
【発明が解決しようとする課題】
【０００４】
ファイバーの特性上先端部の固定が難しく、任意の位置でその輝きの効果を得るのが困難であった。そのため応用の多用性に乏しかった。
【課題を解決するための手段】
【０００５】
ファイバー先端部を、薄い平面状の対象物、厚みのある立体状の対象物ごとに工夫された簡単に固定できる仕組みを用いることで課題を解決する。ファイバー後端部はまとめて光源に導く。
【発明の効果】
【０００６】
薄い平面状の対象物、厚みのある立体状の対象物、複雑な形状をした対象物等あらゆる形状への先端の設定が可能となり、精密表示装置としてその多用性が格段に広がる。
【図面の簡単な説明】
【０００７】
【図１】ファイバー先端を固定する傾斜のついた中空穴の図。
【図２】ファイバー先端部固定用中空穴を備えた汎用シリンダーの図。
【図３】汎用シリンダーを用い薄い平面状対象物への使用例。
【図４】厚さのある立体状対象物に、先端部取り付け機構を設置した例。
【図５】薄い平面状パネルへの先端部固定取り付け実施例。
【図６】厚さのある立体状対象物への先端部固定取り付け実施例。
【図７】薄板状の既製品への先端部固定装置の取り付け例
【発明を実施するための形態】
【０００８】
ファイバー先端部の固定法の一つは、傾斜のついた中空穴にファイバを挿入するものである。図１
【０００９】
薄板状対象物へのファイバー先端取り付けには、ファイバー挿入用のシリンダーを用いる。シリンダーの中の穴は中空となり、片方の端に向かい傾斜が儲けられている。その細い側はファイバー径より小さく、太い側はファイバー径より大きくなっている。挿入するとファイバー径より小さくなる点でファイバーは固定される。あらかじめこのシリンダー取り付けの穴あけ加工された薄板状対象物にシリンダーを挿入して使用する。汎用物として規則性のアル穴あけ加工されたものを使用し、ファイバー表示させたい位置にシリンダーを挿入することで所望の表示を得る。汎用の薄板状対象物は簡単に接続切り離しができるようになっており、さまざまな形、大きさに調整できる。
【００１０】
厚みのある立体状の対象物にはあらかじめファイバー取り付け用の中空穴の開いたモジュールを使用する。このモジュールには汎用薄板のものと同様規則的に穴あけ加工されており、表示させたい位置にファイバーを挿入固定することで所望の表示を得られる。モジュールは簡単に接続切り離しできるようになっており、さまざまな形、大きさに調整できる。図４
【実施例】
【００１１】
薄板状汎用取り付け板に数字「１」を表示するようシリンダーを挿入した例。
【００１２】
厚みのある立体状の対象物用モジュールに数字「１」を表示するようファイバーを挿入した例。
【産業上の利用可能性】
【００１３】
現在小型表示用としては、LED表示が利用されている。LEDの大きさより細かい表示に関する装置はない状態である。本考案により、ファイバー径相当の細かさの表示が簡単に実現できる。利用分野はあらゆる分野と考えられる。光り装飾、玩具、教育用玩具、工業用表示装置、家庭用各種表示装置等である。応用の多用性、その利用分野ごとにさらに案出される可能性を秘めている。
【符号の説明】
【００１４】
1  ファイバー先端部固定シリンダー
2  固定シリンダーの薄板状汎用取り付けパネルへの取り付け
３  厚みのある立体状の対象物へのファイバー先端取り付け機構設置
【図１】
2015087448.tif 000003
【図２】
2015087448.tif 000004
【図３】
2015087448.tif 000005
【図４】
2015087448.tif 000006
【図５】
2015087448.tif 000007
【図６】
2015087448.tif 000008
【図７】
2015087448.tif 000009
(57)【要約】      （修正有）【課題】本来の形状を損なわずに、十分な発電効果を得られ発光を可能とする打弦器具を提供する。【解決手段】打弦器具１０内部に圧電素子８を封入する最低限の空間１２を設け、打弦領域１１に重なる位置に圧電素子が打弦器具に追従するように部分的に一体化させ、打弦により十分な起電力を得られる構造を持つ弾性体１０と、適宜配置した発光素子７と圧電素子８を接続する。【選択図】図３
2015087493.tif 000002
【特許請求の範囲】
【請求項１】
打弦器具内部に圧電素子を封入する最低限の空間を設け、打弦領域に重なる位置に圧電素子が打弦器具に追従するように部分的に一体化させ、打弦により十分な起電力を得られる構造を持つ弾性体と、適宜配置した発光素子と圧電素子を接続することによって打弦により発光することを特徴とする打弦器具。
【発明の詳細な説明】
【技術分野】
【０００１】
本発明は、演奏に応じて発光する打弦器具に関するものである。
【背景技術】
【０００２】
打弦器具の中で発光機能を有する物は、演奏の際に奏者を引き立てられる利点があるため、演目によっては利用される場合がある。
【０００３】
打弦器具が発光機能を持つことは奏者の表現手段の拡充につながり、演出上有用な事案である。
【０００４】
しかし、発光機能を有する打弦器具は発光機能を実現するために電気的な仕掛けを持つ必要がある。図１は打弦器具と発光機能を有する打弦器具の様相の違いを示した一例であり、１は通常の打弦器具、２は発光機能を有する打弦器具を表す。ギター用の打弦器具の場合、打弦器具は本来１のように扁平で奏者の指先に収まる形状を持つが、２では発光機能を付加するために打弦部の他に発光素子３、バッテリー４、スイッチ５とそれらを収めるケース６を持った冗長な形状をもつ。打弦器具に発光機能を付加することにより演奏性を損なう欠点が発生する。
【０００５】
弦楽器の演奏方法は一様に定まらないものの、打弦器具の代表的な形状はおおむね定まっており、ほとんどの奏者は代表的な打弦器具を採用している実態がある。先の欠点では、打弦部の先端を使った演奏以外に打弦器具を利用することができず、奏者の演奏表現を阻害する問題があった。
【０００６】
改善策として打弦器具と圧電素子を一体とし、打弦器具の形状を損なわずに発光機能を付加する方法がある。図２はこの方法の実装形態を示すための説明図であり、発光機能を有する打弦器具の扁平な面から見た平面図とそれに対する側面の断面図である。図２で、７は発光素子、８は圧電素子、９は７と８を電気的に接続する電線、１０は７、８、９を一体としている弾性体、１１は打弦領域である。しかしながら、この方法では圧電素子の配置が打弦部から遠く、演奏時に打弦器具に生じる変形が圧電素子に十分に伝達されず、圧電素子が起電力を得ることが困難である。また、圧電素子と打弦器具が一体となっているため、圧電素子表面の電極や圧電体が打弦器具の材質に引っ張られ、圧電素子が破損して起電力が一切得られない問題がある。
【先行技術文献】
【特許文献】
【０００７】
【特許文献１】実用新案登録第３１１６４７３号
【発明の概要】
【発明が解決しようとする課題】
【０００８】
解決しようとする問題点は、打弦器具が本来の形状を維持しながら、圧電素子の起電力によって十分な発光効果が得られない点である。
【課題を解決するための手段】
【０００９】
本発明は、打弦器具が本来の形状を維持したまま発光可能とするため、圧電素子全体もしくは一部を打弦器具の打弦領域に配置し、かつ、打弦器具内部に圧電素子が入る空間を設けて打弦器具に内包し、圧電素子の片面を打弦器具の内面に一体とすることによって効果的に起電力を得ることをもっとも主要な特徴とする。
【発明の効果】
【００１０】
本発明の発光機能を有する打弦器具は、打弦器具本来の形状を維持したまま発光するため、演目関わらずどのような場面でも奏者を引き立てることができる利点がある。
【図面の簡単な説明】
【００１１】
【図１】図１はギターにおける打弦器具の代表的な形状と、同楽器における発光機能を有する打弦器具の比較を示した図である。
【図２】図２は先行技術が示す発光機能を有する打弦器具の模式図である。
【図３】図３は発光機能を有する打弦器具の実施方法を示した説明図である。（実施例１）
【図４】図４は発光機能を有する打弦器具の実施方法を示した説明図である。（実施例２）
【図５】図５はバイモルフ圧電素子を適用した際の、圧電素子の配置の内部構造図です。
【図６】図６は圧電素子と発光素子とを接続した配線図である。
【発明を実施するための形態】
【００１２】
演奏における打弦器具の変形を元に圧電素子で起電力を得、発光素子を発光させる目的を、打弦器具本来の形状を維持したまま実現した。
【実施例１】
【００１３】
図３は、本発明の１実施例の模式図であり、７〜１１は図２と同様である。１２に打弦器具と圧電素子との間に設ける空間を示している。８は１２の空間に面していない面を１０と一体としており、打弦器具の変形がそのまま伝達される。
【００１４】
図４は、９の電線を省略し７の発光素子を増量して発光機能を重視した形状を示した図である。広く普及している圧電素子の形状は、円形か長方形であることが多いため、長方形の圧電素子から十分な起電力を得るための配置を示している。
【００１５】
図５は、圧電素子がバイモルフの場合の圧電素子の設置を説明する内部構造図である。８の両面に１２の空間を設け、８の圧電体を避けて１０で８を両側から固定している様子を示す。
【００１６】
図６は、圧電素子と発光素子の接続の１実施例を示す。７の発光素子にLEDを採用した例である。
【産業上の利用可能性】
【００１７】
さまざまな打弦器具が従来の性能を維持したまま発光できるため、従来とは異なる表現を可能とする。
【符号の説明】
【００１８】
１    ギターにおける打弦器具の代表形状
２    従来の発光機能を有する打弦器具
３    発光素子
４    バッテリー
５    スイッチ
６    ケース
７    発光素子
８    圧電素子
９    電線
１０  弾性体
１１  打弦領域
１２  空間
【図１】
2015087493.tif 000003
【図２】
2015087493.tif 000004
【図３】
2015087493.tif 000005
【図４】
2015087493.tif 000006
【図５】
2015087493.tif 000007
【図６】
2015087493.tif 000008